【手続補正書】
【提出日】平成25年8月16日(2013.8.16)
【手続補正１】
【補正対象書類名】明細書
【補正対象項目名】０００６
【補正方法】変更
【補正の内容】
【０００６】
上記目的を達成するため、請求項１に記載の発明では、装置筐体の周囲の状況を取得する状況取得手段と、ユーザが装置筐体を把持する状態を検出する把持状態検出手段と、前記状況取得手段により取得された周囲の状況と、前記把持状態検出手段により検出されたユーザが装置筐体を把持する状態とに基づいて自装置の起動を制御する起動制御手段と
を具備することを特徴とする。
上記請求項１に従属する請求項２に記載の発明では、前記起動制御手段は、前記周囲の状況と、前記ユーザが装置筐体を把持する状態に基づいて起動時の動作状態を決定し、自装置の起動を制御することを特徴とする。
上記請求項１に従属する請求項３に記載の発明では、前記起動制御手段は、前記周囲の状況と、前記ユーザが装置筐体を把持する状態に基づいてユーザの挙動を判定し、ユーザの挙動に合致する動作状態で自装置の起動を制御する
【手続補正２】
【補正対象書類名】明細書
【補正対象項目名】０００７
【補正方法】変更
【補正の内容】
【０００７】
上記請求項１乃至３のいずれか一項に従属する請求項４に記載の発明では、前記起動制御手段は、ユーザの挙動に合致する動作状態として、撮影画像を取得する撮影モードあるいは取得した撮影画像を表示する再生モードの何れかで自装置を自動的に起動することを特徴とする。
上記請求項４に従属する請求項５に記載の発明では、前記状況取得手段は、装置筐体のモニタ画面側である背面側周囲、又は撮影レンズ側である前面側周囲の状況を取得することを特徴とする。
【手続補正３】
【補正対象書類名】明細書
【補正対象項目名】０００８
【補正方法】変更
【補正の内容】
【０００８】
上記請求項５に従属する請求項６に記載の発明では、前記状況取得手段は、取得した背面側周囲の状況からユーザの顔を検出したか否かを判定する顔検出手段を有することを特徴とする請。
上記請求項６に従属する請求項７に記載の発明では、前記起動制御手段は、前記顔検出手段によりユーザの顔が検出された場合に、再生モードで自装置を自動的に起動することを特徴とする。
【手続補正４】
【補正対象書類名】明細書
【補正対象項目名】０００９
【補正方法】変更
【補正の内容】
【０００９】
上記請求項６に従属する請求項８に記載の発明では、前記顔検出手段は、背面側周囲の状況からユーザの顔を検出した場合に、その検出した顔の視線の向きを検出する視線検出手段を更に備えることを特徴とする。
【手続補正５】
【補正対象書類名】明細書
【補正対象項目名】００１０
【補正方法】変更
【補正の内容】
【００１０】
上記請求項５乃至８のいずれか一項に従属する請求項９に記載の発明では、前記状況取得手段は、取得した正面側周囲の状況から被写体を検出したか否かを判定する被写体検出手段を有することを特徴とする。
上記請求項９に従属する請求項１０に記載の発明では、前記起動制御手段は、前記被写体出手段により被写体が検出された場合に、撮影モードで自装置を自動的に起動することを特徴とする。
【手続補正６】
【補正対象書類名】明細書
【補正対象項目名】００１１
【補正方法】変更
【補正の内容】
【００１１】
上記請求項４乃至１０のいずれか一項に従属する請求項１１に記載の発明では、前記把持状態検出手段は、装置筐体の複数箇所におけるユーザの接触操作を検出し、検出したユーザの接触操作から当該ユーザが装置筐体を把持する状態を検出することを特徴とする。
上記請求項１１に従属する請求項１２に記載の発明では、前記起動制御手段は、前記把持状態検出手段がその複数個所の全てでユーザの接触操作を検出した場合に、撮影モードで自装置を自動的に起動することを特徴とする。
請求項１３に記載の発明では、装置筐体の周囲の状況を取得する状況取得ステップと、ユーザが装置筐体を把持する状態を検出する把持状態検出ステップと、前記状況取得ステップにより取得された背面側周囲の状況と、前記把持状態検出ステップにより検出されたユーザが装置筐体を把持する状態とに基づいて自装置の起動を制御する起動制御ステップとを含むことを特徴とする。
【手続補正７】
【補正対象書類名】明細書
【補正対象項目名】００１２
【補正方法】変更
【補正の内容】
【００１２】
請求項１４に記載の発明では、コンピュータに、装置筐体の周囲の状況を取得する状況取得機能、ユーザが装置筐体を把持する状態を検出する把持状態検出機能、前記状況取得機能により取得された周囲の状況と、前記把持状態検出機能により検出されたユーザが装置筐体を把持する状態とに基づいて自装置の起動を制御する起動制御機能、を実現させることを特徴とする。
【手続補正８】
【補正対象書類名】特許請求の範囲
【補正対象項目名】全文
【補正方法】変更
【補正の内容】
【特許請求の範囲】
【請求項１】
装置筐体の周囲の状況を取得する状況取得手段と、
ユーザが装置筐体を把持する状態を検出する把持状態検出手段と、
前記状況取得手段により取得された周囲の状況と、前記把持状態検出手段により検出されたユーザが装置筐体を把持する状態とに基づいて自装置の起動を制御する起動制御手段と
を具備することを特徴とする撮像装置。
【請求項２】
前記起動制御手段は、前記周囲の状況と、前記ユーザが装置筐体を把持する状態に基づいて起動時の動作状態を決定し、自装置の起動を制御することを特徴とする請求項１記載の撮像装置。
【請求項３】
前記起動制御手段は、前記周囲の状況と、前記ユーザが装置筐体を把持する状態に基づいてユーザの挙動を判定し、ユーザの挙動に合致する動作状態で自装置の起動を制御することを特徴とする請求項１記載の撮像装置。
【請求項４】
前記起動制御手段は、ユーザの挙動に合致する動作状態として、撮影画像を取得する撮影モードあるいは取得した撮影画像を表示する再生モードの何れかで自装置を自動的に起動することを特徴とする請求項１乃至３のいずれか一項記載の撮像装置。
【請求項５】
前記状況取得手段は、装置筐体のモニタ画面側である背面側周囲、又は撮影レンズ側である前面側周囲の状況を取得することを特徴とする請求項４記載の撮像装置。
【請求項６】
前記状況取得手段は、取得した背面側周囲の状況からユーザの顔を検出したか否かを判定する顔検出手段を有することを特徴とする請求項５記載の撮像装置。
【請求項７】
前記起動制御手段は、前記顔検出手段によりユーザの顔が検出された場合に、再生モードで自装置を自動的に起動することを特徴とする請求項６記載の撮像装置。
【請求項８】
前記顔検出手段は、背面側周囲の状況からユーザの顔を検出した場合に、その検出した顔の視線の向きを検出する視線検出手段を更に備えることを特徴とする請求項６記載の撮像装置。
【請求項９】
前記状況取得手段は、取得した正面側周囲の状況から被写体を検出したか否かを判定する被写体検出手段を有することを特徴とする請求項５乃至８のいずれか一項記載の撮像装置。
【請求項１０】
前記起動制御手段は、前記被写体出手段により被写体が検出された場合に、撮影モードで自装置を自動的に起動することを特徴とする請求項９記載の撮像装置。
【請求項１１】
前記把持状態検出手段は、装置筐体の複数箇所におけるユーザの接触操作を検出し、検出したユーザの接触操作から当該ユーザが装置筐体を把持する状態を検出することを特徴とする請求項４乃１０のいずれか一項記載の撮像装置。
【請求項１２】
前記起動制御手段は、前記把持状態検出手段がその複数個所の全てでユーザの接触操作を検出した場合に、撮影モードで自装置を自動的に起動することを特徴とする請求項１１記載の撮像装置。
【請求項１３】
装置筐体の周囲の状況を取得する状況取得ステップと、
ユーザが装置筐体を把持する状態を検出する把持状態検出ステップと、
前記状況取得ステップにより取得された背面側周囲の状況と、前記把持状態検出ステップにより検出されたユーザが装置筐体を把持する状態とに基づいて自装置の起動を制御する起動制御御ステップと
を含むことを特徴とする撮像装置の起動方法。
【請求項１４】
コンピュータに、
装置筐体の周囲の状況を取得する状況取得機能、
ユーザが装置筐体を把持する状態を検出する把持状態検出機能、
前記状況取得機能により取得された周囲の状況と、前記把持状態検出機能により検出されたユーザが装置筐体を把持する状態とに基づいて自装置の起動を制御する起動制御機能、
を実現させるためのプログラム。